(57)【特許請求の範囲】
【請求項１】
複数のページからなる原稿から読み取った画像に係る特定の処理を、当該原稿のページのうちの少なくとも１つのページが含まれるようにグループ分けされたグループごとに順に行う画像処理装置であって、
前記ページに設定されているパスワードを取得するパスワード取得手段と、
前記ページのセキュリティレベルを判定し、前記グループのセキュリティレベルを当該グループに含まれる前記ページのセキュリティレベルのうちの最も高いセキュリティレベルに決定するセキュリティレベル判定手段と、
前記グループのうちのＮ（Ｎ≧２）番目のグループの前記特定の処理を行うにあたって、当該Ｎ番目のグループのセキュリティレベルが１ないし（Ｎ−１）番目のグループのセキュリティレベルのうちの最も高いセキュリティレベルよりも所定のレベル以上高い場合には、当該Ｎ番目のグループに含まれる前記ページであって当該Ｎ番目のグループのセキュリティレベルと同じセキュリティレベルの前記ページに設定されている前記パスワードをユーザに入力させる必要があると判定し、当該Ｎ番目のグループのセキュリティレベルが１ないし（Ｎ−１）番目のグループのセキュリティレベルのうちの最も高いセキュリティレベルよりも所定のレベル以上低い場合には、当該Ｎ番目のグループに含まれる前記ページに設定されている前記パスワードのいずれもユーザに入力させる必要がないと判定する、パスワード入力要否判定手段と、
前記Ｎ番目のグループの前記特定の処理を行うにあたって、前記パスワードをユーザに入力させる必要がないと判定された場合、および、前記パスワードをユーザに入力させる必要があると判定され当該パスワードがユーザにより正しく入力された場合に、当該Ｎ番目のグループの前記特定の処理を行うように制御する制御手段と、
を有することを特徴とする画像処理装置。
【請求項２】
前記パスワード入力要否判定手段は、前記Ｎ番目のグループの前記特定の処理を行うにあたって、当該Ｎ番目のグループのセキュリティレベルが１ないし（Ｎ−１）番目のグループのセキュリティレベルのうちの最も高いセキュリティレベルと同じレベルである場合には、当該Ｎ番目のグループに含まれる前記ページであって当該Ｎ番目のグループのセキュリティレベルと同じセキュリティレベルの前記ページに設定されている前記パスワードが、当該１ないし（Ｎ−１）番目のグループの前記特定の処理を行うにあたってユーザにより正しく入力された前記パスワードのいずれとも異なる場合にのみ、当該パスワードをユーザに入力させる必要があると判定する、
請求項１記載の画像処理装置。
【請求項３】
前記パスワード入力要否判定手段は、前記Ｎ番目のグループの前記特定の処理を行うにあたって前記パスワードをユーザに入力させる必要があると判定した場合であって、当該Ｎ番目のグループに含まれる前記ページであって当該Ｎ番目のグループのセキュリティレベルと同じセキュリティレベルの前記ページが複数存在する場合には、当該複数の前記ページのうちのいずれかのページに設定されている前記パスワードをユーザに入力させる必要があると判定する、
請求項１または２記載の画像処理装置。
【請求項４】
前記パスワード入力要否判定手段は、前記Ｎ番目のグループの前記特定の処理を行うにあたって前記パスワードをユーザに入力させる必要があると判定した場合であって、当該Ｎ番目のグループに含まれる前記ページであって当該Ｎ番目のグループのセキュリティレベルと同じセキュリティレベルの前記ページが複数存在する場合には、当該複数の前記ページにそれぞれ設定されている複数の前記パスワードをユーザに入力させる必要があると判定する、
請求項１または２記載の画像処理装置。
【請求項５】
前記セキュリティレベル判定手段は、前記ページのセキュリティレベルを、当該ページに設定されている前記パスワードを構成する文字列の文字の種類の組合せおよび文字列の長さに基づいて判定する、
請求項１ないし４のいずれかに記載の画像処理装置。
【請求項６】
複数のページからなる原稿から読み取った画像に係る特定の処理を、当該原稿のページのうちの少なくとも１つのページが含まれるようにグループ分けされたグループごとに順に行う画像処理装置の制御方法であって、
前記ページに設定されているパスワードを取得する処理と、
前記ページのセキュリティレベルを判定し、前記グループのセキュリティレベルを当該グループに含まれる前記ページのセキュリティレベルのうちの最も高いセキュリティレベルに決定する処理と、
前記グループのうちのＮ（Ｎ≧２）番目のグループの前記特定の処理を行うにあたって、当該Ｎ番目のグループのセキュリティレベルが１ないし（Ｎ−１）番目のグループのセキュリティレベルのうちの最も高いセキュリティレベルよりも所定のレベル以上高い場合には、当該Ｎ番目のグループに含まれる前記ページであって当該Ｎ番目のグループのセキュリティレベルと同じセキュリティレベルの前記ページに設定されている前記パスワードをユーザに入力させる必要があると判定し、当該Ｎ番目のグループのセキュリティレベルが１ないし（Ｎ−１）番目のグループのセキュリティレベルのうちの最も高いセキュリティレベルよりも所定のレベル以上低い場合には、当該Ｎ番目のグループに含まれる前記ページに設定されている前記パスワードのいずれもユーザに入力させる必要がないと判定する処理と、
前記Ｎ番目のグループの前記特定の処理を行うにあたって、前記パスワードをユーザに入力させる必要がないと判定された場合、および、前記パスワードをユーザに入力させる必要があると判定され当該パスワードがユーザにより正しく入力された場合に、当該Ｎ番目のグループの前記特定の処理を行うように制御する処理と、
を前記画像処理装置に行わせることを特徴とする制御方法。
【請求項７】
複数のページからなる原稿から読み取った画像に係る特定の処理を、当該原稿のページのうちの少なくとも１つのページが含まれるようにグループ分けされたグループごとに順に行う画像処理装置の制御に用いられるコンピュータプログラムであって、
前記ページに設定されているパスワードを取得する処理と、
前記ページのセキュリティレベルを判定し、前記グループのセキュリティレベルを当該グループに含まれる前記ページのセキュリティレベルのうちの最も高いセキュリティレベルに決定する処理と、
前記グループのうちのＮ（Ｎ≧２）番目のグループの前記特定の処理を行うにあたって、当該Ｎ番目のグループのセキュリティレベルが１ないし（Ｎ−１）番目のグループのセキュリティレベルのうちの最も高いセキュリティレベルよりも所定のレベル以上高い場合には、当該Ｎ番目のグループに含まれる前記ページであって当該Ｎ番目のグループのセキュリティレベルと同じセキュリティレベルの前記ページに設定されている前記パスワードをユーザに入力させる必要があると判定し、当該Ｎ番目のグループのセキュリティレベルが１ないし（Ｎ−１）番目のグループのセキュリティレベルのうちの最も高いセキュリティレベルよりも所定のレベル以上低い場合には、当該Ｎ番目のグループに含まれる前記ページに設定されている前記パスワードのいずれもユーザに入力させる必要がないと判定する処理と、
前記Ｎ番目のグループの前記特定の処理を行うにあたって、前記パスワードをユーザに入力させる必要がないと判定された場合、および、前記パスワードをユーザに入力させる必要があると判定され当該パスワードがユーザにより正しく入力された場合に、当該Ｎ番目のグループの前記特定の処理を行うように制御する処理と、
を前記画像処理装置に行わせることを特徴とするコンピュータプログラム。
【発明の詳細な説明】
【技術分野】
【０００１】
セキュリティがかけられた画像データを処理する画像処理装置などに関する。
【背景技術】
【０００２】
近年、企業・役所・家庭などにおいて、原稿の複製を取るための複写機（コピー機）が広く普及している。
【０００３】
複写機の普及に伴って、複写物を容易に作製することが可能になった一方で、機密文書のコピーが外部に流出したり、原本のコピーが原本として悪用されたりする危険性が指摘されている。
【０００４】
そこで、複写機の利用上のセキュリティを強化するための種々の工夫が提案されている。
【０００５】
そのような工夫のひとつとして、原稿を印刷する際に地紋パターンなどと称される特定のパターンの紋様などを背景に印刷しておき、複写機において、地紋パターンが付加された原稿が読み取られた際に、印刷などの出力を制限することが提案されている。
【０００６】
例えば、読取手段によって読み取られた原稿の画像情報を印刷出力する際に、機密文書である画像情報にパスワードを付加する技術が提案されている（特許文献１）。
【０００７】
また、画像取得手段によって取得された画像の背景に埋め込まれた地紋パターンを抽出し、抽出した地紋パターンが所定のパターンと一致するときは、ユーザがユーザＩＤおよびパスワードなどを入力して認証を受けない限り、画像出力手段によって画像が出力されないようにする技術が提案されている（特許文献２）
また、原稿の１ページに含まれる複数の領域ごとに付加された地紋パターンを検出し、検出した地紋パターンに応じてユーザにパスワードの入力を要求する、よりセキュリティの柔軟性を高めた技術も提案されている（特許文献３）。
【０００８】
また、画像形成装置のセキュリティを確保しつつ、画像形成装置のハードウェア資源の利用効率を改善する技術が提案されている（特許文献４）。
【０００９】
このように、原稿の１ページごとまたはそれに含まれる領域ごとなどに地紋パターンが付加された原稿が読み取られた際に、ユーザがパスワードなどを入力して認証を受けない限り、複写物が出力されない機能を複写機に搭載することが提案されている。この機能は、パスワードコピー機能などと称されることがある。
【先行技術文献】
【特許文献】
【００１０】
【特許文献１】特開２００３−３１６５５２
【特許文献２】特開２００４−２０１０６９
【特許文献３】特開２００８−１１８２１５
【特許文献４】特開２００９−１６０８４６
【発明の概要】
【発明が解決しようとする課題】
【００１１】
さて、パスワードコピー機能が搭載されることにより、機密性の高い文書などのコピーの利用が制限されるので、複写機の利用上のセキュリティは向上するが、ユーザにとっては多少使い勝手が悪くなることがある。
【００１２】
すなわち、パスワードコピー機能が搭載された複写機を利用するユーザは、原稿の全てのページを出力するまでの間に、地紋パターンが検出される度にパスワードなどを入力しなければならず、煩わしさを感じることがある。
【００１３】
例えば、ユーザは、１ページごとに異なる地紋パターンが付加された原稿のコピーを取ろうとすると、１ページ出力するごとにパスワードなどを入力しなければならない。
【００１４】
本発明は、このような事情に鑑みてなされたものであり、セキュリティが確保されかつ使い勝手のよい複写機を提供することを目的とする。
【課題を解決するための手段】
【００１５】
画像処理装置は、複数のページからなる原稿から読み取った画像に係る特定の処理を、当該原稿のページのうちの少なくとも１つのページが含まれるようにグループ分けされたグループごとに順に行う画像処理装置であって、前記ページに設定されているパスワードを取得するパスワード取得手段と、前記ページのセキュリティレベルを判定し、前記グループのセキュリティレベルを当該グループに含まれる前記ページのセキュリティレベルのうちの最も高いセキュリティレベルに決定するセキュリティレベル判定手段と、前記グループのうちのＮ（Ｎ≧２）番目のグループの前記特定の処理を行うにあたって、当該Ｎ番目のグループのセキュリティレベルが１ないし（Ｎ−１）番目のグループのセキュリティレベルのうちの最も高いセキュリティレベルよりも所定のレベル以上高い場合には、当該Ｎ番目のグループに含まれる前記ページであって当該Ｎ番目のグループのセキュリティレベルと同じセキュリティレベルの前記ページに設定されている前記パスワードをユーザに入力させる必要があると判定し、当該Ｎ番目のグループのセキュリティレベルが１ないし（Ｎ−１）番目のグループのセキュリティレベルのうちの最も高いセキュリティレベルよりも所定のレベル以上低い場合には、当該Ｎ番目のグループに含まれる前記ページに設定されている前記パスワードのいずれもユーザに入力させる必要がないと判定する、パスワード入力要否判定手段と、前記Ｎ番目のグループの前記特定の処理を行うにあたって、前記パスワードをユーザに入力させる必要がないと判定された場合、および、前記パスワードをユーザに入力させる必要があると判定され当該パスワードがユーザにより正しく入力された場合に、当該Ｎ番目のグループの前記特定の処理を行うように制御する制御手段と、を有する。
【発明の効果】
【００１６】
本発明によれば、セキュリティが確保されかつ使い勝手のよい複写機を提供することができる。
【図面の簡単な説明】
【００１７】
【図１】画像処理装置の概観の例を示す斜視図である。
【図２】画像処理装置のハードウェアの構成の例を示す図である。
【図３】画像処理装置における、原稿に地紋パターンを付加する処理に関係する制御機能の構成の例を示す図である。
【図４】原稿に地紋パターンを付加する処理の例を示すフローチャートである。
【図５】表示部に表示されるパスワード入力画面の例を示す図である。
【図６】保護ページリストの例を示す図である。
【図７】地紋パターンが付加された原稿の例を示す図である。
【図８】画像処理装置における、地紋パターンが付加された原稿をコピーする際に実行される処理に関係する制御機能の構成の例を示す図である。
【図９】地紋パターンが付加された原稿をコピーする処理の例を示すフローチャートである。
【図１０】地紋パターンが付加された原稿をコピーする処理の例を示すフローチャートである。
【図１１】出力単位ページ数を決定する処理の例を示すフローチャートである。
【図１２】パスワードの入力要求の要否を判別する処理の例を示すフローチャート
【図１３】小冊子モードにおける印刷の例を示す図である。
【図１４】第一の判定テーブルの例を示す図である。
【図１５】第二の判定テーブルの例を示す図である。
【図１６】出力対象ページリストの例を示す図である。
【図１７】表示部に表示されるパスワード入力画面の例を示す図である。
【図１８】第一のケースにおける概要を示す図である。
【図１９】第二のケースにおける概要を示す図である。
【図２０】第三のケースにおける概要を示す図である。
【発明を実施するための形態】
【００１８】
図１は、画像処理装置１の概観の例を示す斜視図である。
【００１９】
画像処理装置１は、コピー、ネットワークプリント（ＰＣプリント）、スキャナ、ファックス、およびドキュメントサーバなどの様々な機能が集約された情報処理装置であり、「複合機」または「ＭＦＰ（Multi Function Peripheral）」などと呼ばれることもある。一般的に、画像処理装置１は、ＬＡＮ（Local Area Network）などのネットワークに接続され、利用される。
【００２０】
図１に示すように、画像処理装置１は、原稿給紙部１１、原稿搬送部１２、原稿読取部１３、原稿排出部１４、用紙給紙部１５、用紙搬送部１６、印刷部１７、用紙排出部１８、表示部１９、操作部２０、およびここには図示しない制御部などから構成されている。
【００２１】
原稿給紙部１１は、読取りの対象となる原稿がセットされるトレイである。
【００２２】
原稿搬送部１２は、ローラおよびその駆動源などを備えており、原稿給紙部１１に積載された原稿を１枚ずつ原稿読取部１３へ搬送するとともに、原稿読取部１３において読み取られた原稿を原稿排出部１４へ排出するための装置である。原稿給紙部１１、原稿搬送部１２、および原稿排出部１４を合わせたものを原稿自動搬送装置（ＡＤＦ）と呼ぶこともある。
【００２３】
原稿読取部１３は、光源およびイメージセンサなどを備えており、原稿に描かれている文字、図形、および記号などの画像を光学的に読み取って、画像データを生成するための装置である。
【００２４】
用紙給紙部１５は、印刷に用いられる用紙がセットされるトレイである。
【００２５】
用紙搬送部１６は、ローラおよびその駆動源などを備えており、用紙給紙部１５に収容された用紙を１枚ずつ印刷部１７へ搬送するとともに、印刷部１７において印刷された用紙を用紙排出部１８へ排出するための装置である。
【００２６】
印刷部１７は、電子写真方式、インクジェット方式、または熱転写方式などの印刷機構を備えており、実行すべきジョブ（例えば、コピージョブ、プリントジョブ、またはファックスジョブ）の種類に応じて、原稿読取部１３において読み取られたデータ、画像処理装置１に記憶されているデータ、およびネットワークを介して他の情報処理装置から受信したデータなどに示される画像を用紙に印刷するための装置である。
【００２７】
表示部１９は、液晶方式などのディスプレイを備えており、ユーザに対して各種の画面を表示する。ディスプレイには、操作の案内を行うための画面、ジョブの実行状況を知らせるための画面、および画像処理装置１に記憶されているデータを確認させるための画面などが表示される。
【００２８】
操作部２０は、テンキーおよび各種の操作ボタンを備えており、ユーザから各種の操作を受け付ける。また、表示部１９におけるディスプレイがタッチパネルとして兼用される場合には、ユーザがタッチしたディスプレイ上の位置を検出することにより各種の操作を受け付ける。
【００２９】
図２は、画像処理装置１のハードウェアの構成の例を示す図である。
【００３０】
図２に示すように、画像処理装置１は、前述の各構成部１１〜２０のほかに、ＣＰＵ（Central Processing Unit）１０ａ、ＲＡＭ（Random Access Memory）１０ｂ、ＲＯＭ（Read Only Memory）１０ｃ、ＨＤＤ（Hard Disk Drive）１０ｄ、ＦＡＸモデム１０ｅ、およびネットワークＩ／Ｆ（Interface）１０ｆを内部に備えており、それらは、内部バス１０ｇによって接続されている。
【００３１】
ＣＰＵ１０ａは、ＲＯＭ１０ｃまたはＨＤＤ１０ｄに格納されているプログラムおよびデータのほか、外部から必要に応じて入力される種々のデータに基づいて、ＲＡＭ１０ｂをワークエリアにして演算処理を実行し、画像処理装置１における各種の機能を実現する。具体的には、各構成部１１〜２０、ＨＤＤ１０ｄ、ＦＡＸモデム１０ｅ、およびネットワークＩ／Ｆ（インタフェース）１０ｆなどの動作を制御し、各種の機能を実現する。
【００３２】
ＨＤＤ１０ｄは、電源が供給されていないときも記憶されたデータを保持する不揮発性の磁気記憶装置である。ただし、ＨＤＤ１０ｄの代わりに、ＳＳＤ（Solid State Drive）またはフラッシュメモリなどの半導体メモリを用いてもよい。
【００３３】
ＦＡＸモデム１０ｅは、公衆回線を介して他のファックス装置との間でデータを送受信するための装置である。データの送受信には、Ｇ３などのＦＡＸプロトコルが用いられる。
【００３４】
ネットワークＩ／Ｆ１０ｆは、ＬＡＮなどのネットワークを介して他の情報処理装置との間でデータを送受信するための装置である。データの送受信には、ＴＣＰ／ＩＰ（Transmission Control Protocol/Internet Protocol）などの通信プロトコルが用いられる。
【００３５】
〔地紋パターンの付加〕
まず、原稿に地紋パターンを付加する際に行われる処理について述べる。
【００３６】
図３は、画像処理装置１における、原稿に地紋パターンを付加する処理に関係する制御機能の構成の例を示す図である。
【００３７】
図３に示すように、画像処理装置１は、地紋パターンの付加における制御を行うための、ジョブ受付部１０１、パスワード入力受付部１０２、ページデータ取得部１０３、地紋パターン付加部１０４、および印刷制御部１０５の各制御部を有している。ＲＯＭ１０ｃまたはＨＤＤ１０ｄには各制御部１０１〜１０５を実現するためのプログラムが格納されており、これらのプログラムはＣＰＵ１０ａによって適宜実行される。
【００３８】
図４は原稿に地紋パターンを付加する処理の流れの例を示すフローチャート、図５は表示部１９に表示されるパスワード入力画面ＨＧ１の例を示す図、図６は保護ページリストＬＴ１の例を示す図、図７は地紋パターンＴＰが付加された原稿の例を示す図である。
【００３９】
以下、図４に示すフローチャートの流れに沿って、各制御部１０１〜１０５によって行われる処理の内容を説明する。
【００４０】
ユーザは、複数ページからなる原稿を原稿給紙部１１にセットし、操作部２０において「地紋パターン付加」メニューを選択し、実行ボタンを押下する。
【００４１】
すると、図４に示すように、ジョブ受付部１０１は、操作部２０を介して、「地紋パターン付加」ジョブの実行の指示を受け付ける（Ｓ３０１）。
【００４２】
「地紋パターン付加」ジョブが受け付けられると（Ｓ３０１）、パスワード入力受付部１０２は、図５に示すようなパスワード入力画面ＨＧ１を表示部１９に表示させる（Ｓ３０２）。
【００４３】
ユーザは、パスワード入力画面ＨＧ１において、セキュリティをかけて保護するページのページ番号を「ページ指定」入力欄Ｆ１１に入力する。また、そのページに保護をかけるための適当なパスワードを「パスワード」入力欄Ｆ１２に入力する。
【００４４】
ここで、ユーザは、セキュリティをより厳重にすべきページほど、より複雑なパスワードを設定しておく。例えば、セキュリティの厳重さが大きいほど、より長いパスワードを設定する。または、使用する字の種類（大文字、小文字、数字、符号など）を多く用いてパスワードを設定する。
【００４５】
ところで、本実施例では、パスワードは暗号化されて管理される。そこで、ユーザは、パスワードの暗号化方式を「暗号化アルゴリズム」選択欄Ｆ１３において選択する。本実施例では、パスワードの暗号化方式として、ＤＥＳ（Data Encryption Standard）暗号化方式またはＡＥＳ（Advanced Encryption Standard）暗号化方式のいずれかを選択することができるようになっている。
【００４６】
これらの入力は、例えば、コンボボックスにリストアップされる候補の中から選択したり、候補の横に配されたチェックボックスをチェックしたり、ソフトウェアキーボードのキーを押下したりなどして入力することができる。
【００４７】
ユーザは、セキュリティをかけて保護する全てのページについてこれらの操作を行い、最後に「実行」ボタンＦ１４を押下する。
【００４８】
すると、パスワード入力受付部１０２は、操作部２０を介して、図６に示すような保護ページリストＬＴ１を取得（生成）する（Ｓ３０３）。
【００４９】
保護ページリストＬＴ１には、ページごとに、ページ番号ＬＴ１ａ、そのページの保護の要否を示す保護要否情報ＬＴ１ｂ、そのページに設定されているパスワードの値を示すパスワード情報ＬＴ１ｃ、およびパスワードの暗号化方式を示す暗号化方式情報ＬＴ１ｄが登録されている。各情報ＬＴ１ｂ〜ＬＴ１ｄに設定されている値は、ユーザが入力した内容が反映された値となっている。
【００５０】
保護ページリストＬＴ１が取得されると（Ｓ３０３）、ページデータ取得部１０３は、原稿給紙部１１、原稿搬送部１２、および原稿読取部１３などを適切なタイミングで動作させて、原稿の全てのページ数分の画像を読み取る。そして、読み取られた画像データに所定の画像処理などが施されたデータをページデータＰＤとして取得する（Ｓ３０４）。ページデータＰＤは、ページ単位のデータであり、全てのページ数分取得される。なお、所定の画像処理とは、例えば、Ａ／Ｄ変換、シェーディング補正、ライン間補正、解像度変換、およびガンマ変換などを含む処理である。
【００５１】
全てのページ数分のページデータＰＤが取得されると（Ｓ３０４）、地紋パターン付加部１０４は、保護ページリストＬＴ１に基づいて、個々のページデータＰＤごとに、付加すべき地紋パターンＴＰを作成し、地紋パターンＴＰが付加された地紋付ページデータＴＰＤを作成する（Ｓ３０５）。
【００５２】
具体的には、保護ページリストＬＴ１を参照し、保護要否情報ＬＴ１ｂに保護「要」が示されているページについて、そのページのパスワード情報ＬＴ１ｃに示されているパスワードの値を、そのページの暗号化方式情報ＬＴ１ｄに示される暗号化方式により暗号化する。暗号化の際に適用する暗号キーの値は、所定の値であってもよいし、元のパスワードの値に関連した値であってもよい。以降において、暗号化された後のパスワードを「暗号化パスワード」と呼ぶことがある。そして、暗号化パスワードの値および暗号化方式に対応する地紋パターンＴＰを作成し、作成した地紋パターンＴＰとそのページのページデータＰＤとを合成することにより、地紋パターンＴＰが付加された地紋付ページデータＴＰＤを作成する。地紋付ページデータＴＰＤは、印刷部１７に送出される印刷用データの一部となる。
【００５３】
保護ページリストＬＴ１の保護要否情報ＬＴ１ｂに保護「否」が示されているページについては、地紋付ページデータＴＰＤは作成されず、ページデータＰＤが、印刷部１７に送出される印刷用データの一部となる。
【００５４】
地紋パターンＴＰを付加する必要のある全てのページについて地紋付ページデータＴＰＤが作成されると（Ｓ３０５）、印刷制御部１０５は、地紋付ページデータＴＰＤが作成されたページについては地紋付ページデータＴＰＤを、地紋付ページデータＴＰＤが作成されなかったページについてはページデータＰＤを印刷部１７へ送出する。また、印刷の設定に関する情報なども合わせて送出する。そして、用紙給紙部１５、用紙搬送部１６、および印刷部１７などを適切なタイミングで動作させて、それらの画像が用紙に印刷されるように制御する（Ｓ３０６）。
【００５５】
以上のような流れで、ユーザが所望するページに地紋パターンＴＰが付加された原稿が作成される。例えば、図７に示すような原稿が作成される。図７に示す原稿において、１ページ目には、第一の地紋パターンＴＰａが背景に付加された画像が印刷されており、２ページ目には、地紋パターンＴＰが付加されていない画像が印刷されており、３ページ目には、第二の地紋パターンＴＰｂが背景に付加された画像が印刷されている。
【００５６】
なお、Ｓ３０１〜Ｓ３０６の処理の順序および処理の単位などは、あくまで一例であり、上記の内容に限られるものではない。例えば、ページデータ取得部１０３が１ページ分のページデータＰＤを取得するごとに、パスワード入力受付部１０２がそのページに係るパスワードなどの情報をユーザより受け付け、地紋パターン付加部１０４がそのページに係る地紋付ページデータＴＰＤを必要に応じて作成し、印刷制御部１０５がそのページに係る地紋付ページデータＴＰＤまたはページデータＰＤの印刷を印刷部１７に指示するようにしてもよい。
【００５７】
〔地紋パターンが付加された原稿のコピー〕
次に、地紋パターンが付加された原稿をコピーする際に行われる処理について述べる。      
【００５８】
図８は、画像処理装置１における、地紋パターンが付加された原稿をコピーする際に実行される処理に関係する制御機能の構成の例を示す図である。
【００５９】
図８に示すように、画像処理装置１は、地紋パターンが付加された原稿のコピーにおける制御を行うための、ジョブ受付部２０１、ページデータ取得部２０２、地紋パターン抽出部２０３、セキュリティレベル判定部２０４、パスワード要求可否判定部２０５、パスワード入力受付部２０６、パスワード照合部２０７、認証結果記憶部２０８、および印刷制御部２０９の各制御部を有している。ＲＯＭ１０ｃまたはＨＤＤ１０ｄには各制御部２０１〜２０９を実現するためのプログラムが格納されており、これらのプログラムはＣＰＵ１０ａによって適宜実行される。
【００６０】
図９および図１０は地紋パターンが付加された原稿をコピーする処理の流れの例を示すフローチャート、図１１は出力単位ページ数を決定する処理の流れの例を示すフローチャート、図１２はパスワードの入力要求の要否を判別する処理の流れの例を示すフローチャート、図１３は小冊子モードにおける印刷の例を示す図、図１４は第一の判定テーブルＬＴ２の例を示す図、図１５は第二の判定テーブルＬＴ３の例を示す図、図１６は出力対象ページリストＬＴ４の例を示す図、図１７は表示部１９に表示されるパスワード入力画面ＨＧ２の例を示す図である。
【００６１】
以下、図９および図１０に示すフローチャートの流れに沿って、各制御部２０１〜２０９によって行われる処理の内容を説明する。
【００６２】
ユーザは、地紋パターンＴＰが付加されたページを含む複数ページからなる原稿を原稿給紙部１１にセットする。そして、操作部２０において、「コピー」メニューを選択し、コピージョブに関する種々の設定を入力し、実行ボタンを押下する。
【００６３】
すると、図９に示すように、ジョブ受付部１０１は、操作部２０を介して、「コピー」ジョブの実行の指示を受け付ける（Ｓ４０１）。また、「コピー」ジョブについての種々の設定に関する情報も取得する（Ｓ４０２）。これらの設定は、ユーザが操作部２０において明示的に指定した設定についてはその設定が有効となり、ユーザが明示的に指定しなかった設定については、デフォルトの設定が有効となる。これらの設定の中には、以下の設定が含まれる。
【００６４】
（１）原稿の読取り面についての設定
原稿の片面のみを読み取るか、または原稿の両面を読み取るかのいずれかに設定される。
【００６５】
以降、前者の設定を「片面読取りモード」の設定と呼び、後者の設定を「両面読取りモード」の設定と呼ぶことがある。
【００６６】
例えば４枚からなる原稿が読み取られる場合であれば、「片面読取りモード」の設定においては合計４ページ分の原稿が読み取られることとなり、「両面読取りモード」の設定においては合計８ページ分の原稿が読み取られることとなる。
【００６７】
（２）印刷の出力タイミングについての設定
セットされた全ての枚数の原稿を読み取った後に印刷を開始するか、または原稿を読み取りながら随時印刷するかのいずれかに設定される。
【００６８】
以降、前者の設定を「一括出力モード」の設定と呼び、後者の設定を「同時出力モード」の設定と呼ぶことがある。
【００６９】
（３）印刷の出力面についての設定
出力用紙の片面のみに印刷するか、出力用紙の両面に印刷するか、または小冊子の作成に適した印刷を行うかのいずれかに設定される。
【００７０】
以降、片面のみに印刷する設定を「片面印刷モード」の設定と呼び、両面に印刷する設定を「両面印刷モード」の設定と呼び、小冊子の作成に適した印刷を行う設定を「小冊子モード」の設定と呼ぶことがある。
【００７１】
「小冊子モード」の設定においては、出力された印刷物を所定の様式で綴じる（例えば、中綴じにする。）ことにより小冊子を作成することができる態様で、原稿の画像が出力用紙に印刷される。よって、原稿の画像の出力面、出力順序、および配置などは自動的に調整される。
【００７２】
図１３に示すように、例えば８ページ分の原稿の画像が「小冊子モード」の設定で印刷される場合であれば、出力用紙の１枚目の一方の面には原稿の１ページ目および８ページ目の画像が印刷され、他方の面には原稿の２ページ目および７ページ目の画像が印刷される。また、出力用紙の２枚目の一方の面には原稿の３ページ目および６ページ目の画像が印刷され、他方の面には原稿の４ページ目および５ページ目の画像が印刷される。
【００７３】
（４）原稿の割付けページ数についての設定
出力用紙の１面あたりに印刷する原稿のページ数が設定される。
【００７４】
以降、出力用紙の１面あたりにＮ（２以上）ページの原稿を印刷する設定を「Ｎｉｎ１モード」がオンの設定または「Ｎページ割付けモード」がオンの設定と呼ぶことがある。逆に、出力用紙の１面あたりにそのまま１ページの原稿を印刷する設定を「Ｎｉｎ１モード」がオフの設定または「Ｎページ割付けモード」がオフの設定と呼ぶことがある。例えば合計８ページ分の原稿の画像が出力用紙に印刷される場合であれば、「片面印刷モード」かつ「２ｉｎ１モード」の設定においては、出力用紙１枚あたりに２ページ分の原稿の画像が印刷され、出力用紙が４枚消費されることとなる。また、「両面印刷モード」かつ「２ｉｎ１モード」の設定においては、出力用紙１枚あたりに４ページ分の原稿の画像が印刷され、出力用紙が２枚消費されることとなる。
【００７５】
（５）その他の設定
出力用紙のサイズ、および拡大または縮小して印刷する際の倍率などが設定されることがある。
【００７６】
図９に戻り、「コピー」ジョブが受け付けられ（Ｓ４０１）、ジョブの設定に関する情報が取得されると（Ｓ４０２）、ページデータ取得部２０２は、上記（２）〜（４）の設定内容に応じて、次に示すような方法で、出力単位ページ数を判定する（Ｓ４０３）。出力単位ページ数とは、用紙１枚当たりに出力される原稿のページ数である。
【００７７】
図１１に示すように、まず、上記（２）の設定内容を確認する（Ｓ５０１）。すなわち、印刷の出力タイミングについて「一括出力モード」または「同時出力モード」のいずれが設定されているかを確認する。
【００７８】
上記（２）の設定において「一括出力モード」が設定されている場合には（Ｓ５０１で左方）、出力単位ページ数を「全ページ数」と判定する（Ｓ５０２）。
【００７９】
他方、上記（２）の設定において「同時出力モード」が設定されている場合には（Ｓ５０１で下方）、上記（３）の設定内容を確認する（Ｓ５０３）。すなわち、印刷の出力面について「片面印刷モード」、「両面印刷モード」、または「小冊子モード」のいずれが設定されているかを確認する。
【００８０】
上記（３）の設定において「片面印刷モード」が設定されている場合には（Ｓ５０３で左方）、上記（４）の設定内容を確認する（Ｓ５０４）。上記（４）の設定において「Ｎｉｎ１モード」がオフに設定されている場合には（Ｓ５０４で下方）、出力単位ページ数を「１」と判定する（Ｓ５０５）。他方、上記（４）の設定において「Ｎｉｎ１モード」がオンに設定されている場合には（Ｓ５０４で右方）、出力単位ページ数を「Ｎ」と判定する（Ｓ５０６）。具体的には、「２ｉｎ１モード」のときには出力単位ページ数を「２」と判定し、「４ｉｎ１モード」のときには出力単位ページ数を「４」と判定する。
【００８１】
上記（３）の設定において「両面印刷モード」が設定されている場合には（Ｓ５０３で下方）、上記（４）の設定内容を確認する（Ｓ５０７）。上記（４）の設定において「Ｎｉｎ１モード」がオフに設定されている場合には（Ｓ５０７で下方）、出力単位ページ数を「２」と判定する（Ｓ５０８）。他方、上記（４）の設定において「Ｎｉｎ１モード」がオンに設定されている場合には（Ｓ５０７で右方）、出力単位ページ数を「２Ｎ」と判定する（Ｓ５０９）。具体的には、「２ｉｎ１モード」のときには出力単位ページ数を「４」と判定し、「４ｉｎ１モード」のときには出力単位ページ数を「８」と判定する。
【００８２】
上記（３）の設定において「小冊子モード」が設定されている場合には（Ｓ５０３で右方）、出力単位ページ数を「４」と判定する（Ｓ５１０）。
【００８３】
図９に戻って、ページデータ取得部２０２は、出力単位ページ数を判定すると（Ｓ４０３）、原稿給紙部１１、原稿搬送部１２、および原稿読取部１３などを適切なタイミングで動作させて、原稿の１ページ分の画像を読み取る。そして、読み取られた画像データに所定の画像処理などが施されたデータを地紋付ページデータＴＰＤ’として取得する（Ｓ４０４）。なお、所定の画像処理とは、例えば、Ａ／Ｄ変換、シェーディング補正、ライン間補正、解像度変換、およびガンマ変換などを含む処理である。
【００８４】
地紋付ページデータＴＰＤ’が取得されると（Ｓ４０４）、地紋パターン抽出部２０３は、所定の画像解析を行うことにより、取得された地紋付ページデータＴＰＤ’に付加されている地紋パターンＴＰを抽出する（Ｓ４０５）。
【００８５】
また、地紋パターン抽出部２０３は、抽出した地紋パターンＴＰに対応する暗号化パスワードの値および暗号化方式を判別する。そして、判別された暗号化方式に基づいて、暗号化パスワードの値を復号化する。これにより、暗号化される前の元のパスワードが取得される（Ｓ４０６）。
【００８６】
パスワードが取得されると（Ｓ４０６）、セキュリティレベル判定部２０４は、図１４に示すような第一の判定テーブルＬＴ２または図１５に示すような第二の判定テーブルＬＴ３に基づいて、そのページの保護の度合いを示すセキュリティレベルを判定する（Ｓ４０７）。
【００８７】
具体的には、Ｓ４０５で判別された暗号化方式がＤＥＳ暗号化方式である場合には、Ｓ４０６で取得されたパスワードの態様（複雑さ、長さなど）と第一の判定テーブルＬＴ２（図１４）に示される内容とを照合することにより、セキュリティレベルを判定する。
【００８８】
図１４に示す第一の判定テーブルＬＴ２には、パスワードの複雑さおよびパスワードの長さとセキュリティレベル（レベルの高い側から順に「４」「３」「２」「１」の４段階のセキュリティレベル）との対応関係が示されている。なお、パスワードの複雑さとは、パスワードを構成する文字列の文字の種類の組合せを指す。また、パスワードの長さとは、パスワードを構成する文字列の長さを指す。
【００８９】
Ｓ４０５で判別された暗号化方式がＡＥＳ暗号化方式である場合には、Ｓ４０６で取得されたパスワードの態様と第二の判定テーブルＬＴ３（図１５）に示される内容とを照合することにより、セキュリティレベルを判定する。
【００９０】
図１５に示す第二の判定テーブルＬＴ３にも、第一の判定テーブルＬＴ２と同様の対応関係が示されている。ただし、セキュリティレベルの区分けが第一の判定テーブルＬＴ２の場合と若干異なっている。これは、元のパスワードが同じ文字列であっても、適用する暗号化方式が異なれば暗号化パスワードによる保護の強度が異なることに基づいている。すなわち、元のパスワードが同じ文字列であっても、ＡＥＳ暗号化方式により暗号化されたパスワードによる保護の方が、ＤＥＳ暗号化方式により暗号化されたパスワードによる保護よりも強力であることに基づいている。
【００９１】
Ｓ４０４〜Ｓ４０７の処理は、それぞれ出力単位ページ数分の処理が完了する（Ｓ４０８でＹｅｓ）まで繰り返し行われる。これにより、同じ一枚の用紙に印刷される原稿の各ページの地紋付ページデータＴＰＤ’が取得され、そのページの地紋パターンＴＰが抽出され、そのページのパスワードが取得され、そのページのセキュリティレベルが判定される。そして、それらの処理結果がまとめられ、図１６に示すような出力対象ページリストＬＴ４が作成される。
【００９２】
出力対象ページリストＬＴ４には、読み取った原稿のページごとに、ページ番号ＬＴ４ａ、そのページに設定されているパスワードの値を示すパスワード情報ＬＴ４ｂ、およびそのページの保護のセキュリティレベルの値を示すセキュリティ情報ＬＴ４ｃが登録されている。
【００９３】
出力対象ページリストＬＴ４には、出力単位ページ数分の情報が登録される。
【００９４】
例えば、「一括出力モード」が設定されている場合であれば、出力対象ページリストＬＴ４が作成されるのは１回のみで、その出力対象ページリストＬＴ４には原稿の全ページ数分の情報が登録される。
【００９５】
また、「同時出力モード」かつ「片面印刷モード」が設定され、「Ｎｉｎ１モード」がオフに設定されている場合であれば、１回目に作成された出力対象ページリストＬＴ４には原稿の１ページ目の情報が登録され、２回目に作成された出力対象ページリストＬＴ４には原稿の２ページ目の情報が登録され、…という流れで、出力対象ページリストＬＴ４には原稿の１ページ分の情報が登録される。
【００９６】
また、「同時出力モード」かつ「片面印刷モード」が設定され、「２ｉｎ１モード」がオンに設定されている場合であれば、１回目に作成された出力対象ページリストＬＴ４には原稿の１〜２ページ目の情報が登録され、２回目に作成された出力対象ページリストＬＴ４には原稿の３〜４ページ目の情報が登録され、…という流れで、出力対象ページリストＬＴ４には原稿の２ページ分の情報が登録される。この場合に、出力対象ページリストＬＴ４に登録される２つのページは連続するページである。
【００９７】
また、「同時出力モード」かつ「両面印刷モード」が設定され、「Ｎｉｎ１モード」がオフに設定されている場合であれば、１回目に作成された出力対象ページリストＬＴ４には原稿の１〜２ページ目の情報が登録され、２回目に作成された出力対象ページリストＬＴ４には原稿の３〜４ページ目の情報が登録され、…という流れで、出力対象ページリストＬＴ４には原稿の２ページ分の情報が登録される。この場合に、出力対象ページリストＬＴ４に登録される２つのページは連続するページである。
【００９８】
また、「同時出力モード」かつ「両面印刷モード」が設定され、「２ｉｎ１モード」がオンに設定されている場合であれば、１回目に作成された出力対象ページリストＬＴ４には原稿の１〜４ページ目の情報が登録され、２回目に作成された出力対象ページリストＬＴ４には原稿の５〜８ページ目の情報が登録され、…という流れで、出力対象ページリストＬＴ４には原稿の４ページ分の情報が登録される。この場合に、出力対象ページリストＬＴ４に登録される４つのページは連続するページである。
【００９９】
また、「小冊子モード」が設定されている場合であれば、１回目に作成された出力対象ページリストＬＴ４には原稿の１、２、Ｎ−１、Ｎページ目の情報が登録され、２回目に作成された出力対象ページリストＬＴ４には原稿の３、４、Ｎ−３、Ｎ−２ページ目の情報が登録され、…という流れで、出力対象ページリストＬＴ４には原稿の４ページ分の情報が登録される。この場合に、出力対象ページリストＬＴ４に登録される４つのページは、連続するページとは限らない。
【０１００】
Ｓ４０４〜Ｓ４０７の処理が出力単位ページ数分行われると、セキュリティレベル判定部２０４は、出力対象ページ全体におけるセキュリティレベル（代表セキュリティレベルＣＬ）を判定する（Ｓ４０９）。
【０１０１】
具体的には、出力対象ページリストＬＴ４を参照し、セキュリティ情報ＬＴ４ｃに示されているセキュリティレベルの値のうち、最も高いレベルの値を代表セキュリティレベルＣＬの値に決定する。例えば、図１６に示す出力対象ページリストＬＴ４の例では、代表セキュリティレベルＣＬの値は「４」に決定される。
【０１０２】
代表セキュリティレベルＣＬが判定されると（Ｓ４０９）、図１０に示すように、パスワード要求可否判定部２０５は、認証済セキュリティレベルＡＬおよび認証済パスワードＡＰに関する情報が存在するか否かを確認する（Ｓ４１０）。パスワード照合部２０７による処理が一度も行われたことがなければ、これらの情報は存在しない。認証済セキュリティレベルＡＬ、認証済パスワードＡＰ、およびパスワード照合部２０７については、後に順次説明する。
【０１０３】
認証結果が存在しない場合は（Ｓ４１０でＮｏ）、パスワード入力受付部２０６は、図１７に示すようなパスワード入力画面ＨＧ２を表示部１９に表示させる（Ｓ４１３）。
【０１０４】
パスワード入力画面ＨＧ２のパスワード入力対象ページ表示枠Ｆ２１には、出力対象ページリストＬＴ４のセキュリティ情報ＬＴ４ｃに代表セキュリティレベルＣＬの値と同じ値が示されている１または複数のページのページ番号が表示されている。
【０１０５】
ユーザは、パスワード入力画面ＨＧ２において、パスワード入力対象ページ表示枠Ｆ２１に表示されているページにかけられた保護を解除するためのパスワードを知り得ている場合には、そのパスワードを「パスワード」入力欄Ｆ２２に入力し、「実行」ボタンＦ２３を押下する。他方、そのようなパスワードを知り得ていない場合には、「キャンセル」ボタンＦ２４を押下する。
【０１０６】
ユーザにより「キャンセル」ボタンＦ２４が押下されると（Ｓ４１４でＹｅｓ）、画像処理装置１は、「コピー」ジョブの実行を中止し、そのジョブに関する情報などを破棄する（Ｓ４１５）。
【０１０７】
他方、ユーザによりパスワードが入力され「実行」ボタンＦ２３が押下されると（Ｓ４１４でＮｏ）、パスワード入力受付部２０６は、操作部２０を介して、ユーザにより入力されたパスワード（入力パスワードＩＰ）を取得する（Ｓ４１６）。
【０１０８】
入力パスワードＩＰが取得されると（Ｓ４１６）、パスワード照合部２０７は、入力パスワードＩＰの値と代表パスワードＣＰの値とを比較する（Ｓ４１７）。その際、代表パスワードＣＰの値が複数存在する場合には、それらの全てと比較する。
【０１０９】
比較の結果、入力パスワードＩＰの値と一致する代表パスワードＣＰの値が発見された場合には（Ｓ４１７で下方）、認証結果記憶部２０８は、入力パスワードＩＰの値を認証済パスワードＡＰの値として記憶し、そのパスワードによる保護のセキュリティレベルの値を認証済セキュリティレベルＡＬの値として記憶する（Ｓ４１８）。つまり、ユーザが認証を受けた際の認証結果に関する情報を記憶する。なお、既に認証結果に関する情報が記憶されている場合であっても、それらを更新するのではなくそれらに追加して記憶する。つまり、ユーザが認証される度に認証結果に関する情報が累積されていく。
【０１１０】
印刷制御部１０５は、出力単位ページ数の画像の印刷の処理を次のように行う（Ｓ４１９）。出力単位ページ数分の地紋付ページデータＴＰＤ’を印刷部１７へ送出する。また、上記（２）〜（５）の設定内容に対応した印刷の設定に関する情報なども合わせて送出する。そして、用紙給紙部１５、用紙搬送部１６、および印刷部１７などを適切なタイミングで動作させて、それらの画像が用紙に印刷されるように制御する。
【０１１１】
他方、照合の結果、入力パスワードＩＰの値と一致する代表パスワードＣＰの値が発見されなかった場合には（Ｓ４１７で右方）、パスワード入力受付部２０６は、図１７に示すようなパスワード入力画面ＨＧ２を表示部１９に再び表示させる（Ｓ４１３）。
【０１１２】
このように、代表パスワードＣＰは、出力単位ページ全体の保護を一度に解除するため（出力単位ページ全体の出力を一度に許可するため）のパスワードとして利用される。
【０１１３】
または、認証結果が存在する場合には（Ｓ４１０でＹｅｓ）、パスワード要求可否判定部２０５は、次に示すような方法で、ユーザに対してパスワードの入力を要求する必要があるか否かを判定する（Ｓ４１１）。
【０１１４】
図１２に示すように、まず、今回判定された代表セキュリティレベルＣＬの値と、認証結果記憶部２０８に記憶されている認証済セキュリティレベルＡＬの値のうちの最も高い値とを比較する（Ｓ６０１）。
【０１１５】
代表セキュリティレベルＣＬの値が認証済セキュリティレベルＡＬの値のうちの最も高い値よりも低い場合には（Ｓ６０１で左方）、ユーザに対してパスワードの入力を要求する必要がないと判断する（Ｓ６０２）。
【０１１６】
代表セキュリティレベルＣＬの値が認証済セキュリティレベルＡＬの値のうちの最も高い値よりも高い場合には（Ｓ６０１で右方）、ユーザに対してパスワードの入力を要求する必要があると判断する（Ｓ６０３）。
【０１１７】
代表セキュリティレベルＣＬの値と認証済セキュリティレベルＡＬの値のうちの最も高い値とが同じである場合には（Ｓ６０１で下方）、出力対象ページリストＬＴ４を参照し、セキュリティ情報ＬＴ４ｃに代表セキュリティレベルＣＬの値と同じ値が示されているページのパスワード情報ＬＴ４ｂに示されているパスワードの値を代表パスワードＣＰの値として取得する。その際、そのような要件を満たすパスワードの値が複数存在する場合には、それらを全て取得する。例えば、図１６に示す出力対象ページリストＬＴ４の例で代表セキュリティレベルＣＬの値が「４」である場合には、ページ番号「１」のパスワード「Ｐａｓｓ１」およびページ番号「４」のパスワード「Ｐａｓｓ４」の２つの値を代表パスワードの値として取得する。
【０１１８】
代表パスワードＣＰの値と認証済パスワードＡＰの値とを比較する（Ｓ６０４）。その際、代表パスワードＣＰの値が複数存在しまたは認証済パスワードＡＰの値が複数存在する場合には、各々の組合せについて比較する。例えば、代表パスワードＣＰの値が２つ存在し、認証済パスワードＡＰの値が３つ存在する場合は、６組の組合せについて、比較を行う。
【０１１９】
そして、比較の結果、代表パスワードＣＰの値と認証済パスワードＡＰの値とが一致する組合せが発見された場合には（Ｓ６０４で左方）、ユーザに対してパスワードの入力を要求する必要がないと判断する（Ｓ６０２）。他方、両者の間で一致する値が発見されなかった場合には（Ｓ６０４で右方）、ユーザに対してパスワードの入力を要求する必要があると判断する（Ｓ６０３）。
【０１２０】
図１０に戻って、Ｓ４１２における判定の結果、ユーザに対してパスワードの入力を要求する必要がないと判断された場合には（Ｓ４１２でＮｏ）、Ｓ４１３〜Ｓ４１８の処理は、スキップされる。そして、印刷制御部１０５が、出力単位ページ数の画像の印刷の処理を、上述の方法によって行う（Ｓ４１９）。
【０１２１】
他方、ユーザに対してパスワードの入力を要求する必要があると判定された場合には（Ｓ４１２でＹｅｓ）、パスワード入力受付部２０６は、パスワード入力画面ＨＧ２（図１７）を表示部１９に表示させる（Ｓ４１３）。表示後の処理は、Ｓ４１０において「Ｎｏ」だった場合と、同様である。
【０１２２】
Ｓ４０４〜Ｓ４１９の処理は、それぞれ原稿の全ページ数分の処理が完了する（Ｓ４２０でＹｅｓ）まで繰り返し行われる。すなわち、Ｓ４０４〜Ｓ４１９の処理は、それぞれ原稿のページのうちの少なくとも１つのページが含まれるように（出力単位ページ数ごとに）グループ分けされたグループごとに順に行われる。
【０１２３】
以上のような流れで、地紋パターンＴＰが付加された原稿のコピーが行われる。なお、Ｓ４０１〜Ｓ４２０の処理の順序および処理の単位などは、あくまで一例であり、上記の内容に限られるものではない。
【０１２４】
本実施形態における画像処理装置１は、各ページに付加された地紋パターンＴＰに対応するパスワードの態様に基づいてそのページの保護のセキュリティレベルを自動的に判定し、判定したセキュリティレベルに応じて必要な場合にのみユーザにパスワードの入力を求める。よって、ユーザは、１ページごとに異なる地紋パターンが付加された原稿のコピーを取る際に、既に認証をパスしたページよりもセキュリティレベルが低いページの出力にあたってはパスワードを入力する必要がなくなる。すなわち、従来、１ページ出力するごとにパスワードなどを入力していた手間が省けるので、使い勝手が良くなる。しかも、パスワードの入力が省略されるのは、セキュリティレベルの関係から改めてパスワードの入力を求めなくても問題のないページであるので、地紋パターンＴＰが付加された原稿のコピーにおけるセキュリティは、従来と同様に確保される。
【０１２５】
次に、ユーザが本実施形態における画像処理装置１を用いて、地紋パターンが付加された原稿をコピーする際のユーザの操作の例を述べる。
【０１２６】
ここでは、地紋パターンが付加された８ページからなる原稿を「一括出力モード」かつ「片面印刷モード」かつ「Ｎｉｎ１モード」がオフの設定でコピーする場合（第一のケース）、地紋パターンが付加された８ページからなる原稿を「同時出力モード」かつ「片面印刷モード」かつ「Ｎｉｎ１モード」がオフの設定でコピーする場合（第二のケース）、および、地紋パターンが付加された８ページからなる原稿を「同時出力モード」かつ「片面印刷モード」かつ「２ｉｎ１モード」がオンの設定でコピーする場合（第三のケース）の３つのケースを例に述べる。
【０１２７】
〔第一のケース〕
図１８は、第一のケースにおける概要を示す図である。
【０１２８】
図１８に示す概要ＵＣ１には、第一のケースにおける条件設定およびユーザによるパスワード入力の要否が示されている。
【０１２９】
原稿の各ページには、概要ＵＣ１のパスワード欄ＵＣ１ａに示される値のパスワードに対応する地紋パターンＴＰが付加されているものとする。また、概要ＵＣ１の入力の要否欄ＵＣ１ｃに「要」が示されているページは、ユーザがパスワードを入力する必要があるページであり、入力の要否欄ＵＣ１ｃに「不要」が示されているページは、ユーザがパスワードを入力する必要がないページである。
【０１３０】
ユーザは、原稿を原稿給紙部１１にセットし、操作部２０において、「コピー」メニューを選択し、上記の設定などを入力し、実行ボタンを押下する。
【０１３１】
すると、画像処理装置１は、原稿の１〜８ページ目の画像を読み取り、１〜８ページ目のパスワードを取得し、１〜８ページ目のセキュリティレベルを判定する。そして、１〜８ページ目のセキュリティレベルの値のうち、最も高いレベルの値「４」を代表セキュリティレベルの値に決定する。ユーザは、代表セキュリティレベル「４」の保護がかけられている６ページ目のパスワード「Ａａ１Ｂｂ２Ｃｃ３Ｄｄ４」を入力する必要があるが、その他のページに設定されているパスワードを入力する必要はない。
【０１３２】
このケースでは、ユーザは、従来パスワードを８回入力する必要があったところ、１回で済むこととなる。
【０１３３】
〔第二のケース〕
図１９は、第二のケースにおける概要を示す図である。
【０１３４】
図１９に示す概要ＵＣ２には、第二のケースにおける条件設定およびユーザによるパスワード入力の要否が示されている。
【０１３５】
原稿の各ページには、概要ＵＣ２のパスワード欄ＵＣ２ａに示される値のパスワードに対応する地紋パターンＴＰが付加されているものとする。また、概要ＵＣ２の入力の要否欄ＵＣ２ｃに「要」が示されているページは、ユーザがパスワードを入力する必要があるページであり、入力の要否欄ＵＣ２ｃに「不要」が示されているページは、ユーザがパスワードを入力する必要がないページである。
【０１３６】
ユーザは、原稿を原稿給紙部１１にセットし、操作部２０において、「コピー」メニューを選択し、上記の設定などを入力し、実行ボタンを押下する。
【０１３７】
すると、画像処理装置１は、１回目の処理として、原稿の１ページ目の画像を読み取り、パスワード「１２３」を取得し、セキュリティレベルを「１」と判定する。ユーザは、初回であるので、パスワード「１２３」を入力する必要がある。パスワードが入力された時点で、ユーザはセキュリティレベル「１」を獲得したことになる。
【０１３８】
次に、画像処理装置１は、２回目の処理として、原稿の２ページ目の画像を読み取り、パスワード「ａｂｃ」を取得し、セキュリティレベルを「１」と判定する。２ページ目のセキュリティレベル「１」は、ユーザが既に獲得したセキュリティレベル「１」と同じ値である。しかし、パスワード「ａｂｃ」は、ユーザが既に入力したパスワードの値と異なる値であるので、ユーザは、パスワード「ａｂｃ」を入力する必要がある。パスワードが入力されても、ユーザが獲得したセキュリティレベルは「１」のままである。
【０１３９】
次に、画像処理装置１は、３回目の処理として、原稿の３ページ目の画像を読み取り、パスワード「Ａａ１」を取得し、セキュリティレベルを「２」と判定する。３ページ目のセキュリティレベル「２」は、ユーザが既に獲得したセキュリティレベル「１」よりも高い値であるので、ユーザは、パスワード「Ａａ１」を入力する必要がある。パスワードが入力された時点で、ユーザが獲得したセキュリティレベルは「１」から「２」に上がる。
【０１４０】
次に、画像処理装置１は、４回目の処理として、原稿の４ページ目の画像を読み取り、パスワード「３４５」を取得し、セキュリティレベルを「１」と判定する。４ページ目のセキュリティレベル「１」は、ユーザが既に獲得したセキュリティレベル「２」よりも低い値であるので、ユーザは、パスワード「３４５」を入力する必要はない。
【０１４１】
次に、画像処理装置１は、５回目の処理として、原稿の５ページ目の画像を読み取り、パスワード「Ａａ１」を取得し、セキュリティレベルを「２」と判定する。５ページ目のセキュリティレベル「２」は、ユーザが既に獲得したセキュリティレベル「２」と同じ値である。しかも、パスワード「Ａａ１」は、ユーザが既に入力したパスワードの値と同じ値であるので、ユーザは、パスワード「Ａａ１」を入力する必要はない。
【０１４２】
次に、画像処理装置１は、６回目の処理として、原稿の６ページ目の画像を読み取り、パスワード「Ａａ１Ｂｂ２Ｃｃ３Ｄｄ４」を取得し、セキュリティレベルを「４」と判定する。６ページ目のセキュリティレベル「４」は、ユーザが既に獲得したセキュリティレベル「３」よりも高い値であるので、ユーザは、パスワード「Ａａ１Ｂｂ２Ｃｃ３Ｄｄ４」を入力する必要がある。パスワードが入力された時点で、ユーザが獲得したセキュリティレベルは「２」から「４」に上がる。
【０１４３】
次に、画像処理装置１は、７回目の処理として、原稿の７ページ目の画像を読み取り、パスワード「ＡＢＣａｂｃ」を取得し、セキュリティレベルを「３」と判定する。７ページ目のセキュリティレベル「３」は、ユーザが既に獲得したセキュリティレベル「４」よりも低い値であるので、ユーザは、パスワード「ＡＢＣａｂｃ」を入力する必要はない。
【０１４４】
次に、画像処理装置１は、８回目の処理として、原稿の８ページ目の画像を読み取り、パスワード「Ｃｃ３」を取得し、セキュリティレベルを「２」と判定する。８ページ目のセキュリティレベル「２」は、ユーザが既に獲得したセキュリティレベル「４」よりも低い値であるので、ユーザは、パスワード「Ｃｃ３」を入力する必要はない。
【０１４５】
このケースでは、ユーザは、従来パスワードを８回入力する必要があったところ、４回で済むこととなる。
【０１４６】
〔第三のケース〕
図２０は、第三のケースにおける概要を示す図である。
【０１４７】
図２０に示す概要には、第三のケースにおける条件設定およびユーザによるパスワード入力の要否が示されている。
【０１４８】
原稿の各ページには、概要ＵＣ３のパスワード欄ＵＣ３ａに示される値のパスワードに対応する地紋パターンＴＰが付加されているものとする。また、概要ＵＣ３の入力の要否欄ＵＣ３ｃに「要」が示されているページは、ユーザがパスワードを入力する必要があるページであり、入力の要否欄ＵＣ３ｃに「不要」が示されているページは、ユーザがパスワードを入力する必要がないページである。
【０１４９】
ユーザは、原稿を原稿給紙部１１にセットし、操作部２０において、「コピー」メニューを選択し、上記の設定などを入力し、実行ボタンを押下する。
【０１５０】
すると、画像処理装置１は、１回目の処理として、原稿の１〜２ページ目の画像を読み取り、１ページ目および２ページ目のパスワード「１２３」および「ａｂｃ」を取得し、１ページ目および２ページ目のセキュリティレベルをそれぞれ「１」と判定する。そして、１〜２ページ目の代表セキュリティレベルを「１」と判定する。ユーザは、初回であるので、代表セキュリティレベル「１」の保護がかけられている１ページ目または２ページ目のパスワード「１２３」または「ａｂｃ」のいずれかを入力する必要がある。パスワードが入力された時点で、ユーザはセキュリティレベル「１」を獲得したことになる。
【０１５１】
次に、画像処理装置１は、２回目の処理として、原稿の３〜４ページ目の画像を読み取り、３ページ目および４ページ目のパスワード「Ａａ１」および「３４５」を取得し、３ページ目および４ページ目のセキュリティレベルをそれぞれ「２」および「１」と判定する。そして、３〜４ページ目の代表セキュリティレベルを「２」と判定する。代表セキュリティレベル「２」は、ユーザが既に獲得したセキュリティレベル「１」よりも高い値であるので、ユーザは、代表セキュリティレベル「２」の保護がかけられている３ページ目のパスワード「Ａａ１」を入力する必要がある。パスワードが入力された時点で、ユーザが獲得したセキュリティレベルは「１」から「２」に上がる。
【０１５２】
次に、画像処理装置１は、３回目の処理として、原稿の５〜６ページ目の画像を読み取り、５ページ目および６ページ目のパスワード「Ａａ１」および「Ａａ１Ｂｂ２Ｃｃ３Ｄｄ４」を取得し、５ページ目および６ページ目のセキュリティレベルをそれぞれ「２」および「４」と判定する。そして、５〜６ページ目の代表セキュリティレベルを「４」と判定する。代表セキュリティレベル「４」は、ユーザが既に獲得したセキュリティレベル「２」よりも高い値であるので、ユーザは、代表セキュリティレベル「４」の保護がかけられている６ページ目のパスワード「Ａａ１Ｂｂ２Ｃｃ３Ｄｄ４」を入力する必要がある。パスワードが入力された時点で、ユーザが獲得したセキュリティレベルは「２」から「４」に上がる。
【０１５３】
次に、画像処理装置１は、４回目の処理として、原稿の７〜８ページ目の画像を読み取り、７ページ目および８ページ目のパスワード「ＡＢＣａｂｃ」および「Ｃｃ３」を取得し、７ページ目および８ページ目のセキュリティレベルをそれぞれ「３」および「２」と判定する。そして、７〜８ページ目の代表セキュリティレベルを「３」と判定する。代表セキュリティレベル「３」は、ユーザが既に獲得したセキュリティレベル「４」よりも低い値であるので、ユーザは、７ページ目および８ページ目のパスワード「ＡＢＣａｂｃ」および「Ｃｃ３」のいずれも入力する必要がない。
【０１５４】
このケースでは、ユーザは、従来パスワードを８回入力する必要があったところ、３回で済むこととなる。
【０１５５】
以上に説明したように、本実施形態によれば、パスワードによる保護がかけられている原稿のコピーを実行する際に、セキュリティを確保しつつユーザにパスワードを入力させる回数を減らしユーザの使い勝手をよくすることができる。
【０１５６】
なお、上述の実施形態においては、図１１に示すフローチャートにおいて、代表パスワードＣＰの値が複数存在する場合であっても、Ｓ４１６で入力パスワードＩＰを１つ取得し（ユーザに１つのパスワードを入力させ）、Ｓ４１７でその値が複数の代表パスワードＣＰの値のいずれかと一致すればユーザを認証することとした。これを、代表パスワードＣＰの値が複数存在する場合には、Ｓ４１６で入力パスワードＩＰを複数取得し（ユーザに複数のパスワードを入力させ）、Ｓ４１７でそれらの各値が複数の代表パスワードＣＰの値と全て一致すればユーザを認証するようにしてもよい。
【０１５７】
また、上述の実施形態においては、図１２に示すフローチャートにおいて、Ｓ６０１で代表セキュリティレベルＣＬの値が認証済セキュリティレベルＡＬの値よりも少しでも低い場合には、ユーザに対してパスワードの入力を要求する必要がないと判断した。同様に、少しでも高い場合には、ユーザに対してパスワードの入力を要求する必要があると判断した。これを、所定の値以上低い場合には、ユーザに対してパスワードの入力を要求する必要がないと判断してもよい。同様に、所定の値以上高い場合には、ユーザに対してパスワードの入力を要求する必要があると判断してもよい。
【０１５８】
また、上述の実施形態においては、図１２に示すフローチャートにおいて、Ｓ６０１で代表セキュリティレベルＣＬの値と認証済みセキュリティレベルＡＬの値とが同じである場合には、Ｓ６０４で代表パスワードＣＰの値と認証済みパスワードＡＰの値とを比較して、ユーザに対してパスワードの入力を要求するか否かを判断した。これを、Ｓ６０１で代表セキュリティレベルＣＬの値と認証済みセキュリティレベルＡＬの値とが同じである場合も、代表パスワードＣＰの値および認証済みパスワードＡＰの値に拠らずに、ユーザに対してパスワードの入力を要求するか否かを判断してもよい。例えば、両セキュリティレベルの値が同じである場合には、即座にユーザに対してパスワードの入力を要求する必要があると判断してもよい。
【０１５９】
また、上述の実施形態においては、地紋パターンＴＰが付加された原稿を作成する例として、画像処理装置１において読み取られた画像データに地紋パターンＴＰを付加して印刷することにより作成する例を示したが、画像処理装置１とネットワークによって接続されている他の情報処理装置（パーソナルコンピュータなど）から送信された画像データに地紋パターンＴＰを付加して印刷することによっても同様に作成することができる。
【０１６０】
また、上述の実施形態では、原稿の出力の形態として印刷出力を行う場合について述べたが、印刷出力以外の出力、例えば、ＨＤＤ１０ｄへの原稿の読取り画像のファイル出力を行う場合や原稿の読取り画像を添付ファイルとして添付したＥメールの出力を行う場合にも同様に適用することができる。
【０１６１】
また、上述の実施形態においては、パスワードに対応する地紋パターンＴＰが付加されている原稿をコピーなどする場合について述べたが、地紋パターンＴＰ以外の情報、例えば、バーコード、ＱＲコード、またはＩＣタグなどによってパスワードに対応する情報が付加されている原稿をコピーなどする場合にも同様に適用することができる。
【０１６２】
前述の実施形態において、画像処理装置１のハードウェア的な構成および機能的な構成などは、本発明の主旨に沿って適宜変更することができる。また、画像処理装置１で実行される処理内容および処理順序なども、本発明の主旨に沿って適宜変更することができる。
【符号の説明】
【０１６３】
１     画像処理装置
２０３ 地紋パターン抽出部（パスワード取得手段）
２０４ セキュリティレベル判定部（セキュリティレベル判定手段）
２０５ パスワード要求可否判定部（パスワード入力要否判定手段、入力パスワード判定手段）
２０９ 印刷制御部（制御手段）
【図１】
0005360043.tif 000002
【図２】
0005360043.tif 000003
【図３】
0005360043.tif 000004
【図４】
0005360043.tif 000005
【図５】
0005360043.tif 000006
【図６】
0005360043.tif 000007
【図７】
0005360043.tif 000008
【図８】
0005360043.tif 000009
【図９】
0005360043.tif 000010
【図１０】
0005360043.tif 000011
【図１１】
0005360043.tif 000012
【図１２】
0005360043.tif 000013
【図１３】
0005360043.tif 000014
【図１４】
0005360043.tif 000015
【図１５】
0005360043.tif 000016
【図１６】
0005360043.tif 000017
【図１７】
0005360043.tif 000018
【図１８】
0005360043.tif 000019
【図１９】
0005360043.tif 000020
【図２０】
0005360043.tif 000021